(57)【特許請求の範囲】
【請求項１】
矩形状の表示画面を有する携帯型電子機器が着脱されるホルダ部を有する卓上ホルダで
あって、
前記ホルダ部を前後方向に回動可能に支持するスタンド部を備え、
前記ホルダ部は、携帯型電子機器を横長方向で横置きにした状態で、且つ当該携帯型電子機器の表示画面が前方を向くように起立した状態で保持すると共に、
当該ホルダ部には、前記携帯型電子機器を前記横置きにした状態で、当該携帯型電子機器の側面に形成された外部接続端子を下方に開放する切欠き部と、当該携帯型電子機器の左右端部を左右方向から挟み込んで保持する爪部と、が設けられ、
当該ホルダ部の前記切欠き部の下方には、前記携帯型電子機器の外部接続端子にケーブルが接続された状態で当該ケーブルが前記ホルダ部の下方にて引き回し可能となるように下方スペース部が形成されていること、
を特徴とする卓上ホルダ。
【請求項２】
前記ホルダ部は、前記携帯型電子機器を前記横置きに保持した状態で当該携帯型電子機
器の上方に配置されるサイドキー部、及び伸縮自在のテレビ用アンテナ部を上方向から操
作できるように上方向を開放していること、を特徴とする請求項１記載の卓上ホルダ。
【請求項３】
前記携帯型電子機器は、操作部筐体と表示部筐体とを開閉することで異なるスタイルに
変更可能な携帯型電子機器であって、
前記ホルダ部は、前記携帯型電子機器の表示部筐体の表示画面を前面にした閉じたスタイルで横置きにした状態で、当該携帯型電子機器の前記操作部筐体を保持可能であり、
前記爪部は、前記携帯型電子機器がホルダ部に装着された状態で、前記操作部筐体と前記表示部筐体との間に位置するよう形成されていること、を特徴とする請求項１記載の卓上ホルダ。
【請求項４】
前記携帯型電子機器は、テレビ受信機能を有したテレビ受信機能付き機器であって、
前記ホルダ部は、前記テレビ受信機能付き機器を前記横置きに保持した状態で当該テレビ受信機能付き機器の上方に配置されるテレビチャンネルシフト用のサイドキー部を上方向から操作できるように上方向を開放されていること、を特徴とする請求項３記載の卓上ホルダ。
【発明の詳細な説明】
【技術分野】
【０００１】
本発明は、携帯電話機等の携帯型電子機器の卓上ホルダに関する。
【背景技術】
【０００２】
従来の携帯型電子機器では、下端部に充電用端子を設けるとともに、側面部にイヤホン用の端子を設ける構成が一般的であった。
【０００３】
例えば、特許文献１には、充電用端子が下端部に設けられ、イヤホン用の端子が側面に設けられた携帯電話機が記載されている。
【特許文献１】特開２００３−１８２６２号公報
【発明の開示】
【発明が解決しようとする課題】
【０００４】
ところで、近年、テレビ機能を有する携帯電話機が開発されている。このような携帯電話機は、大きな表示画面を有し、手に持った状態や充電台やクレードルのような卓上ホルダにセットした状態でのテレビ視聴が可能である。
【０００５】
しかし、下端部に充電用端子を有し側面部にイヤホン用の端子を有する携帯電話機を卓上ホルダにセットすると、音声をイヤホンで聴くときに携帯電話機の側面部にイヤホン用のケーブルを接続することになり、このケーブルが表示画面を見る妨げとなる場合がある。
【０００６】
本発明の課題は、卓上ホルダにセットした状態で表示画面に表示される画像を見やすくすることができる卓上ホルダを提供することである。
【課題を解決するための手段】
【０００７】
以上の課題を解決するため、請求項１に記載の発明は、矩形状の表示画面を有する携帯型電子機器が着脱されるホルダ部を有する卓上ホルダであって、前記ホルダ部を前後方向に回動可能に支持するスタンド部を備え、前記ホルダ部は、携帯型電子機器を横長方向で横置きにした状態で、且つ当該携帯型電子機器の表示画面が前方を向くように起立した状態で保持すると共に、当該ホルダ部には、前記携帯型電子機器を前記横置きにした状態で、当該携帯型電子機器の側面に形成された外部接続端子を下方に開放する切欠き部と、当該携帯型電子機器の左右端部を左右方向から挟み込んで保持する爪部と、が設けられ、当該ホルダ部の前記切欠き部の下方には、前記携帯型電子機器の外部接続端子にケーブルが接続された状態で当該ケーブルが前記ホルダ部の下方にて引き回し可能となるように下方スペース部が形成されていること、を特徴とする。
【００１０】
請求項２に記載の発明は、請求項１記載の卓上ホルダであって、前記ホルダ部は、前記携帯型電子機器を前記横置きに保持した状態で当該携帯型電子機器の上方に配置されるサイドキー部、及び伸縮自在のテレビ用アンテナ部を上方向から操作できるように上方向を開放していること、を特徴とする。
請求項３に記載の発明は、請求項１記載の卓上ホルダであって、前記携帯型電子機器は、操作部筐体と表示部筐体とを開閉することで異なるスタイルに変更可能な携帯型電子機器であって、前記ホルダ部は、前記携帯型電子機器の表示部筐体の表示画面を前面にした閉じたスタイルで横置きにした状態で、当該携帯型電子機器の前記操作部筐体を保持可能であり、前記爪部は、前記携帯型電子機器がホルダ部に装着された状態で、前記操作部筐体と前記表示部筐体との間に位置するよう形成されていること、を特徴とする。
請求項４に記載の発明は、請求項３記載の卓上ホルダであって、前記携帯型電子機器は、テレビ受信機能を有したテレビ受信機能付き機器であって、前記ホルダ部は、前記テレビ受信機能付き機器を前記横置きに保持した状態で当該テレビ受信機能付き機器の上方に配置されるテレビチャンネルシフト用のサイドキー部を上方向から操作できるように上方向を開放されていること、を特徴とする。
【発明の効果】
【００１１】
本発明によれば、携帯型電子機器を卓上ホルダにセットした状態において、表示画面に表示される画像を見やすくすることができる。
【発明を実施するための最良の形態】
【００１２】
以下、本発明の実施形態を、携帯端末機を例に挙げて詳細に説明する。
図１は本発明の実施形態に係る携帯端末機１の開いた状態を示す図であり、（ａ）は正面図、（ｂ）は背面図である。携帯端末機１は、折り畳み式の携帯端末機（より具体的には、折り畳み式の携帯電話機）であり、操作部筐体５と、表示部筐体６と、ヒンジ部筐体７とから概略構成されている。
【００１３】
操作部筐体５は、上端部でヒンジ部筐体７と接続されており、表示部筐体６は、下端部でヒンジ部筐体７と接続されている。
操作部筐体５の前面には、キー操作部８、マイク９が設けられている。
操作部筐体５の背面には、中央部にカメラ１０が設けられている。また、カメラ１０の左右には凹部１１，１２が形成されており、右側の凹部１１には照明用ライト部１３、左側の凹部１２には赤外線通信用のポート１４が形成されている。左側の凹部１２には後述するクレードル５０のロック爪７０が嵌合する。
また、操作部筐体５の背面の下部には、左右にネジ穴１５，１６が設けられている。左側のネジ穴１６には後述するクレードル５０のロック爪７１が嵌合する。
【００１４】
ヒンジ部筐体７と、操作部筐体５の上端とは、ヒンジ部筐体７の内部に左右方向に配置された図示しない第１回転ヒンジにより接続されており、ヒンジ部筐体７は操作部筐体５に対して第１回転軸Ａ１を中心に回転可能とされている。また、ヒンジ部筐体７と表示部筐体６の下端とは、ヒンジ部筐体７の内部に上下方向に配置された図示しない第２回転ヒンジにより接続されており、表示部筐体６がヒンジ部筐体７に対して第２回転軸Ａ２を中心に回転可能とされている。
ヒンジ部筐体７の背面には、ステレオスピーカ１７が設けられている。
【００１５】
表示部筐体６の一方の面には、表示画面２０、通話用スピーカ２１が設けられている。なお、図１では、表示部筐体６の表示画面２０及び通話用スピーカ２１が設けられた面（以下、表示面という）が正面に向けられている。
【００１６】
図１の状態から、表示部筐体６及びヒンジ部筐体７を操作部筐体５に対して第１回転軸Ａ１を中心に１８０°回転させることで、操作部筐体５の正面側に表示部筐体６を重ねることができる。この場合、表示部筐体６の表示面と操作部筐体５のキー操作部８とが対向配置される。
【００１７】
また、図１の状態から、表示部筐体６をヒンジ部筐体７に対して第２回転軸Ａ２を中心に１８０°回転させた後、表示部筐体６及びヒンジ部筐体７を操作部筐体５に対して第１回転軸Ａ１を中心に１８０°回転させることで、表示部筐体６の表示面が正面に配置されるように操作部筐体５の正面側に表示部筐体６を重ねることができる。この場合、表示部筐体６の表示面と反対側の面と、操作部筐体５のキー操作部８とが対向配置される。
【００１８】
図２は表示部筐体６の表示面が正面に配置されるように操作部筐体５の正面側に表示部筐体６を重ねた状態の携帯端末機１を示す図であり、（ａ）は右側面図、（ｂ）は左側面図である。
図２の状態において、表示部筐体６の右側面に４つのサイドキー２２，２３，２４，２５が設けられている。サイドキー２２はマナーモードの設定及び解除を行うマナーキー、サイドキー２３はキー操作部８に設けられる決定キーと同様の機能、すなわち、メインメニューの呼び出しや、十字キーにより選択されたメニューや機能の確定などを行うキー、サイドキー２４はＴＶモードを起動するＴＶキー、サイドキー２５はキー操作部８に設けられる十字キーのうち上キーと下キーと同様の機能を有するキーで、ＴＶモード時には音量調整を行うキーである。なお、図１の状態においては、表示部筐体６のサイドキーが設けられた部分が左側に配置されている。
【００１９】
操作部筐体５の右側面には、上下方向の中央部に、スロットカバー３０が設けられている。スロットカバー３０は図示しないメモリーカードスロットを塞いでいる。
また、スロットカバー３０よりも下部には、２つのサイドキー３１，３２が設けられている。サイドキー３１はキー操作部８に設けられる十字キーのうち左キーと右キーと同様の機能を有するキーで、ＴＶモード時にはチャネルシフトを行うキー、サイドキー３２はカメラのシャッターキーである。
また、スロットカバー３０よりも背面寄りの部分には、上下方向にテレビ用アンテナ３３が収納されている。なお、携帯端末機１はテレビチューナーやラジオチューナーを内蔵しており、テレビ画像を表示画面２０に表示させ、テレビやラジオの音声をステレオスピーカより出力させることができる。
【００２０】
操作部筐体５の左側面には、上下方向の中央部の背面寄りに、上下２つの充電用端子４１が設けられている。また、充電用端子４１よりも上部にイヤホン端子キャップ４３が、充電用端子４１よりも下部に外部接続端子キャップ４４が設けられている。イヤホン端子キャップ４３は図示しない平型ステレオイヤホン端子を塞ぎ、外部接続端子キャップ４４は図示しない外部接続端子を塞いでいる。
【００２１】
次に、携帯端末機１がセットされる卓上ホルダ５０について説明する。図３は卓上ホルダ５０を右前方斜め上方向から見た斜視図であり、図４は卓上ホルダ５０を右前方斜め下方向から見た斜視図である。また、図５〜図７は図２の状態の携帯端末機１を卓上ホルダ５０にセットしたものを示す図であり、図５は右斜め前方向から見た斜視図、図６は右前方斜め上方向から見た斜視図であり、図７は前方斜め下方向から見た斜視図である。
【００２２】
図３，図４に示すように、卓上ホルダ５０は、ホルダ部６０と、ホルダ部６０を前後方向に回動可能に支持するスタンド部８０とからなる。
ホルダ部６０の前面の下部には、左右に保持部６１，６２が設けられている。右側の保持部６１はホルダ部６０の前面の右端下部から右方向に突出し、さらに操作部筐体５の厚さ分前方に突出している。同様に、左側の保持部６２はホルダ部６０の前面の左端下部から左方向に突出し、さらに操作部筐体５の厚さ分前方に突出している。
各保持部６１，６２の前端には、背面で操作部筐体５の前面と当接する爪部６３，６４が設けられている。
【００２３】
右側の保持部６１は操作部筐体５の左下端部の形状に沿った湾曲形状となっている。また、左側の保持部６２は操作部筐体５の左上端部の形状に沿った湾曲形状となっている。左右の保持部６１，６２の間隔は、操作部筐体５の上下方向の長さにほぼ等しい。右側の保持部６１が操作部筐体５の左下端部を保持し、左側の保持部６２が操作部筐体５の左上端部を保持することで、操作部筐体５が左側面を下に向けた状態でホルダ部６０に保持される。
【００２４】
左右の保持部６１，６２の間は、図４に示すように、切欠き部６５となっている。切欠き部６５の位置は、操作部筐体５のイヤホン端子キャップ４３、外部接続端子キャップ４４の位置に対応している。このため、図７に示すように、卓上ホルダ５０に操作部筐体５をセットした状態でイヤホン端子キャップ４３を取り外して平型ステレオイヤホン端子を露出させ、イヤホンケーブル９０に接続することができる。同様に、卓上ホルダ５０に操作部筐体５をセットした状態で外部接続端子キャップ４４を取り外して外部接続端子を露出させ、図示しない外部接続ケーブルによりパソコン等と接続することもできる。
【００２５】
ホルダ部６０の前面の下端部中央は、前方に突出しており、その上面に左右２つの給電用端子６６が設けられている。給電用端子６６は卓上ホルダ５０にセットされる携帯端末機１の充電用端子４１と当接し、充電用端子４１に電力を供給する。
また、給電用端子６６の左右側方には、それぞれスイッチレバー６８，６９が設けられている。２つのスイッチレバー６８，６９が押圧されると、給電用端子６６による電力供給が開始される。
卓上ホルダ５０に携帯端末機１の操作部筐体５がセットされると、操作部筐体５の背面により２つのスイッチレバー６８，６９が押圧され、給電用端子６６による充電用端子４１への電力供給が開始される。
【００２６】
また、ホルダ部６０の前面には、卓上ホルダ５０にセットされる操作部筐体５の背面の、左側のネジ穴１６、左側の凹部１２と対応する位置に、それぞれロック爪７０、ロック爪７１が設けられている。ロック爪７０が左側のネジ穴１６に係合し、ロック爪７１が左側の凹部１２に係合することで、携帯端末機１が卓上ホルダ５０に固定される。
【００２７】
また、ホルダ部６０の前面には、卓上ホルダ５０にセットされる操作部筐体５の背面のカメラ１０と対応する位置に、凹部７２が形成されている。カメラ１０は図２に示すように、レンズ部が操作部筐体５の背面から突出しているが、ホルダ部６０の前面に凹部７２が形成されているので、卓上ホルダ５０に携帯端末機１の操作部筐体５をセットする際にレンズ部が邪魔にならない。
【００２８】
卓上ホルダ５０に図２の状態の携帯端末機１をセットすると、図５に示すように、表示画面２０が前向きに配置される。このとき、図６に示すように、サイドキー、テレビ用アンテナ、スロットカバー３０が上側に配置されるので、サイドキーの操作、テレビ用アンテナの伸縮、メモリーカードの出し入れを容易に行うことができる。一方、図７に示すように、イヤホン端子キャップ４３、外部接続端子キャップ４４が表示画面２０よりも下側の切欠き部６５に配置されるので、平型ステレオイヤホン端子に接続されるイヤホンケーブル９０や、外部接続端子に接続される図示しない外部接続ケーブルが表示画面２０よりも下方で引き回される。このため、イヤホンケーブル９０や外部接続ケーブルが表示画面２０に表示される画像を見る妨げとならない。
【００２９】
以上の実施形態においては、折り畳み式の携帯電話機について説明したが、本発明はこれに限らず、例えばＰＤＡなどの携帯情報端末とその卓上ホルダ５０に本発明を適用してもよい。また、携帯電話機やＰＤＡなどの携帯型電子機器に内蔵のバッテリへの充電は、携帯型電子機器がＵＳＢ端子を備えている場合には、ＵＳＢケーブルを介して行うことができるので、卓上ホルダ５０は、給電用の専用端子に代えてＵＳＢ端子を備えた、所謂クレードルであってもよい。更に、ホルダ部６０の左右の保持部６１，６２の構造等についても適宜変更可能である。
【図面の簡単な説明】
【００３０】
【図１】本発明の実施形態に係る携帯端末機１の開いた状態を示す図であり、（ａ）は正面図、（ｂ）は背面図である。
【図２】表示部筐体６の表示面が正面に配置されるように操作部筐体５の正面側に表示部筐体６を重ねた状態の携帯端末機１を示す図であり、（ａ）は右側面図、（ｂ）は左側面図である。
【図３】卓上ホルダ５０を右前方斜め上方向から見た斜視図である。
【図４】卓上ホルダ５０を右前方斜め下方向から見た斜視図である。
【図５】図２の状態の携帯端末機１を卓上ホルダ５０にセットしたものを示す図であり、右斜め前方向から見た斜視図である。
【図６】同、右前方斜め上方向から見た斜視図である。
【図７】同、前方斜め下方向から見た斜視図である。
【符号の説明】
【００３１】
１     携帯端末機（携帯型電子機器）
２０   表示画面
４１   充電用端子
４３   イヤホン端子キャップ
４４   外部接続端子キャップ
５０   卓上ホルダ
６０   ホルダ部
６５   切欠き部
６６   給電用端子
【図１】
0004728818.tif 000002
【図２】
0004728818.tif 000003
【図３】
0004728818.tif 000004
【図４】
0004728818.tif 000005
【図５】
0004728818.tif 000006
【図６】
0004728818.tif 000007
【図７】
0004728818.tif 000008